(57)【要約】【課題】宣伝、広告のために大型化することに伴う脆弱性を回避して堅牢で丈夫な構造にし、風雨時による雨水等の浸入がないようにする。【解決手段】自動車Ｃの天井壁外側面に固着するベース盤１と、外表面に表示した広告等を内部の照明灯６によって照明する広告表示体２０とから成る。ベース盤１と広告表示体２０との固定は、ベース盤１を形成する底板部２周囲の取付縁９に広告表示体２０周囲の嵌合取付縁２２を外側から嵌め合わせ、嵌合取付縁２２の外周面を巻回囲繞する被装部材１５を配装し、また被装部材１５の上方から嵌合取付縁２２及び被装部材１５の上縁を覆う外被フレーム２７を嵌め合わせ、外方から貫挿した固着ボルト２８を取付縁９の内方からの固着ナット２９にてネジ止め締結するのである。【選択図】      図６
2004184610.tif 000002
【特許請求の範囲】
【請求項１】
自動車の天井壁外側面に固着されるベース盤と、外表面に所定の広告等が表示されていて、ベース盤上に配装した照明灯によって内部から照明されるようにしてベース盤上に固定される中空の広告表示体とから成り、ベース盤を形成する底板部の周縁に形成した取付縁に、広告表示体の底縁部周囲に形成した嵌合取付縁を被せるように嵌め合わせ、ネジ止めしたことを特徴とする自動車用車載式広告表示装置。
【請求項２】
ベース盤は、前後に長く配置した照明灯取付部、この照明灯取付部に対してほぼ直交させて照明灯取付部の左右部に配置した補強部を一体的に膨出形成した所定肉厚の盤状の底板部と、自動車の天井壁外側面に接着剤にて接着させるようにして底板部の底面に配置固定した吸盤部材とから成る請求項１に記載の自動車用車載式広告表示装置。
【請求項３】
吸盤部材は、底板部に円形状に膨出形成した配置部に、吸盤部材自体に連結した取付ボルトを配置部の底壁の下方から貫挿させ、配置部の底壁の内方でネジ止め固定して配置してある請求項１または２に記載の自動車用車載式広告表示装置。
【請求項４】
広告表示体の底縁部の周囲はゴム素材製の被装部材によって覆ってある請求項１乃至３のいずれかに記載の自動車用車載式広告表示装置。
【請求項５】
ベース盤に対する広告表示体の固定は、ベース盤を形成する底板部の取付縁に広告表示体の嵌合取付縁を被せるようにして嵌め合わせると共に、嵌合取付縁の外側に嵌合取付縁の外周面を巻回囲繞するように被装部材を配装し、また被装部材の上方から嵌合取付縁及び被装部材の上縁を覆うようにした枠状の外被フレームを嵌め合わせ、外被フレーム、被装部材、嵌合取付縁、取付縁に外被フレームの外方から順次に貫挿した固着ボルトを取付縁の内方からの固着ナットにてネジ止め締結した請求項１乃至５のいずれかに記載の自動車用車載式広告表示装置。
【発明の詳細な説明】
【０００１】
【発明の属する技術分野】
本発明は、主としてタクシー等の営業車における天井壁上等の車体外に設置されるようにし、特に周囲からの注目を集めることで広告効果が大なるように大型化した自動車用車載式広告表示装置に関するものである。
【０００２】
【従来の技術】
従来からタクシー等の営業車は市街地、郊外その他を問わずに走行しており、また不特定多数の者が利用するから、この営業車を広告宣伝媒体として利用することが一般的に行われている。例えば車内においては各種パンフレットを置いておいたり、車体外においては各種の広告宣伝用表示装置を付設したり、車体自体に各種の広告宣伝内容を表示したりしている。
【０００３】
特に車体の天井壁上に載置する車載式タイプのものは、走行しているときには周囲の他の自動車、歩行者その他から見られるためにその広告宣伝効果は極めて大きいものである。したがってこのような車体外に設置する広告装置の大型化は、広告事業者、広告依頼主等からは歓迎されるものであっても走行中に受ける風圧等を考慮した場合には思わぬ抵抗等を自動車に与える虞があるから、ある程度の規制がなされているのである。ただ、近時の行政上の一般的な規制緩和の流れからも、この種の自動車用の車体外設置の広告装置についてもこれを大型化することが認められるようにもなっているのである。
【０００４】
また車体外に設置するものとするとき、内部に照明灯を装備することで夜間でも広告表示が可能となるようにした照明表示灯タイプのものが各種提案されており、例えば特許文献１乃至特許文献４に記載されているものがある。これらによれば、内部に蛍光管等の照明灯を備え、また自動車の走行方向に沿って前後に長いと共に、比較的に大型に構成された広告表示部分を備えているから周囲の注目を集めやすく、その広告効果も大きくなることが十分に期待できるものである。
【０００５】
【特許文献１】
実開平５−２０９４７号公報
【特許文献２】
実公平７−１３０２９号公報
【特許文献３】
特開２０００−１４８０５８号公報
【特許文献４】
米国意匠第２４５，９４０号
【０００６】
ただこれらの従来のものは、自動車の天井壁外側面である車体外に設置されることを考慮すると、天井壁外側面上に配置されるベース部材に対して特許文献１のものは広告表示部となる中空屋根形状のカバー部材を単にネジ止めしているのであり、特許文献２のものはベース部材上に載置したカバー部材をベース部材にネジ止めされるＬ字状舌片を備えた広告台によって支持しているのであり、特許文献３のものは広告表示板を枠体にスライド式に挿入することで支持しているのであり、また特許文献４のものではベース部材上に中空屋根形状のカバー部材を固定しているものである。
【０００７】
【発明が解決しようとする課題】
ところがこうした従来のものでは、車体外に設置されて使用されることによる風雨に対する備えが十分なものではなく、場合によっては内部に雨水が浸入することで、照明灯用の各種部材を損傷させることがあった。また、ベース部材の周縁部に溝状に形成した嵌め合い溝内にカバー部材における底部の周縁部分を嵌め合わせる（差し込む）と共に、カバー部材の底部周縁部分の内側面にシール部材等の補強材によって補強を図ることもあるが、防水が完全ではなく、しかも内部点検のための解体、取り外し等が極めて面倒である等の問題点があった。
【０００８】
そこで本発明は叙上のような従来存した諸事情に鑑み創出されたもので、宣伝、広告のために大型化された広告表示体とするのに好適で、また大型化することに伴う脆弱性を回避して堅牢で丈夫な構造のものとし、更には車体外に設置されることでも風雨時による雨水等の浸入がないばかりでなく、保守、点検も容易である自動車用車載式広告表示装置を提供することを目的とする。
【０００９】
【課題を解決するための手段】
上述した目的を達成するため、本発明にあっては、自動車Ｃの天井壁外側面に固着されるベース盤１と、外表面に所定の広告等が表示されていて、ベース盤１上に配装した照明灯６によって内部から照明されるようにしてベース盤１上に固定される中空の広告表示体２０とから成り、ベース盤１を形成する底板部２の周縁に形成した取付縁９に、広告表示体２０の底縁部周囲に形成した嵌合取付縁２２を被せるように嵌め合わせ、ネジ止めしたものであり、取付縁９は例えば下方に折曲状に形成し、嵌合取付縁２２は例えば断面でほぼＬ字状に形成する。
ベース盤１は、前後に長く配置した照明灯取付部３Ａ，３Ｂ、この照明灯取付部３Ａ，３Ｂに対してほぼ直交させて照明灯取付部３Ａ，３Ｂの左右部に配置した補強部８を一体的に膨出形成した所定肉厚の盤状の底板部２と、自動車Ｃの天井壁外側面に接着剤にて接着させるようにして底板部２の底面に配置固定した吸盤部材１１とから成るものとできる。
吸盤部材１１は、底板部２に円形状に膨出形成した配置部１０に、吸盤部材１１自体に連結した取付ボルト１２を配置部９の底壁の下方から貫挿させ、配置部１０の底壁の内方で例えばナット１３等によってネジ止め固定して配置してあるものとできる。
広告表示体２０の底縁部の周囲、場合によってはベース盤１の周囲はゴム素材製の被装部材１５によって覆うことができる。
また、ベース盤１に対する広告表示体２０の固定は、ベース盤１を形成する底板部２の取付縁９に広告表示体２０の嵌合取付縁２２を被せるようにして嵌め合わせると共に、嵌合取付縁２２の外側に嵌合取付縁２２の外周面を巻回囲繞するように被装部材１５を配装し、また被装部材１５の上方から嵌合取付縁２２及び被装部材１５の上縁を覆うようにした枠状をの外被フレーム２７を嵌め合わせ、外被フレーム２７、被装部材１５、嵌合取付縁２２、取付縁９に外被フレーム２７の外方から順次に貫挿した固着ボルト２８を取付縁９の内方からの固着ナット２９にてネジ止め締結することができ、外被フレーム２７は例えば平面で長方形枠状を呈する断面でほぼＬ字状に形成してある。
【００１０】
以上のように構成された本発明に係る自動車用車載式広告表示装置において、自動車Ｃの天井壁外側面に固着したベース盤１上に配置の広告表示体２０は、底板部２周囲の取付縁９に被さり、嵌め合う嵌合取付縁２２によってネジ止めされることで、風雨時でも雨水等を広告表示体２０、ベース盤１内部に浸入させず、また広告表示体２０内に配置の照明灯６等に対する保守、点検、交換その他をも容易にさせる。
ベース盤１を形成する底板部２上に膨出状で一体形成して配置した前後に長い照明灯取付部３Ａ，３Ｂ、これにほぼ直交配置の左右の補強部８は、底板部２自体を補強し、大型化した広告表示体２０を支持すべく大型化するベース盤１自体をも補強し、広告宣伝媒体の大型化に対処可能にさせる。
吸盤部材１１を配置する配置部１０は、底板部２自体を円形状に膨出形成することによるから、これによっても底板部２自体の補強を向上させ、自動車Ｃの天井壁外側面に固着したときの風圧その他への対抗力を増大させ、被破壊限度を大きくさせる。
外被フレーム２７、被装部材１５、嵌合取付縁２２、取付縁９に順次に貫挿した固着ボルト２８を固着ナット２９にてネジ止め締結したベース盤１に対する広告表示体２０の固定構造は、広告表示体２０内部への雨水の浸入等を一層効率的に防止させると同時に、連結固定構造の堅牢化とメンテナンス時の解体分解の容易性とを両立させる。
【００１１】
【発明の実施の形態】
以下、図面を参照して本発明の実施の形態を説明するに、図に示される符号１は例えばタクシー等の営業車の自動車Ｃの天井壁の外側面すなわち自動車Ｃの車体外に固定配置されるベース盤であり、このベース盤１には、表面に所定の広告内容が表示されている中空のほぼ山形状の広告表示体２０が固定されていて、ベース盤１上に配装された照明灯６によって広告表示体２０を内部から照明するようにしてある。ベース盤１、広告表示体２０等は自動車Ｃの側方から周囲の自動車、歩行者等から見られるように自動車Ｃの前後方向に沿って長く設置されるも、場合によっては自動車Ｃの左右方向に沿って長く設置されて自動車Ｃの前後方向から見られるようにすることも可能である。
【００１２】
ベース盤１は、上面に照明灯取付部３Ａ，３Ｂ、補強部８を膨出状に一体的に形成した所定肉厚の盤状の合成樹脂材製の底板部２と、自動車Ｃの天井壁外側面に接着剤にて接着させるようにして底板部２の底面に配置固定した吸盤部材１１とから成り、またこのベース盤１の周縁には、場合によっては底板部から下方に突出し、露出している吸盤部材１１を隠蔽化粧するスカート状の後述する被装部材１５が連結されることもある。
【００１３】
底板部２自体は、自動車Ｃの前後に対応した前後方向での長さがほぼ１４００ｍｍ程度、左右方向での幅員がほぼ４３０ｍｍ程度のものとされ、従来のものに比し比較的に大型となる広告表示体２０に対応できるようにしてある。また照明灯取付部３Ａ，３Ｂは図示にあっては底板部２自体の前後に沿って長く配置されるように前後で分割された山形状、より具体的には断面で裁頭角錐形状を呈するものとして形成されており（図２、図５、図７参照）、平坦状になっている上面部分に突出状に膨出形成した左右で対となっている支持突部４に照明灯用のソケット５が位置決め固定できるようにしてあると共に、前後に分割された中央の窪み部分に電源安定用の安定器その他の照明灯補助部品７を収納固定できるようにしてある。なお、照明灯取付部３Ａ，３Ｂは前後に分割配置せずに一連の一体状に形成することも可能であり、また照明灯６自体は、前後の照明灯取付部３Ａ，３Ｂに跨るようにした長尺状のものとする場合に限らず、場合によっては前後の照明灯取付部３Ａ，３Ｂ夫々で別個にした照明灯６を支持固定することも可能である。
【００１４】
補強部８は、照明灯取付部３Ａ，３Ｂに対してこれとほぼ直交させた状態で照明灯取付部３Ａ，３Ｂの両翼である左右部に夫々一体状にして底板部２に形成されており、図示のように断面でほぼ台形状にすると共に、ベース盤１の左右部縁から照明灯取付部３Ａ，３Ｂに至るに伴い次第に幅員が広がり状に、また同じく高さが次第に高くなるように形成してある（図２乃至図４参照）。このように補強部８自体は照明灯取付部３Ａ，３Ｂと共にいわば平面から見て串刺し状の形態で底板部２に一体状に膨出形成されていることで、比較的に大型化する底板部２自体の歪形化その他を防止し、堅牢性の増大を図っているものであり、補強部８自体の数は図示のように左右で５本に限定されるものではない。
【００１５】
底板部２の周縁は、下方あるいは上方に向けて折曲されることで断面でほぼＬ字状を呈する取付縁９が形成されており、この折曲状の取付縁９によっても底板部２自体の非歪形性を一層向上させると共に、後述するように広告表示体２０、被装部材１５等との結合をも容易にしている。この底板部２の前後、左右の側縁には、広告表示体２０、被装部材１５等との結合の確実性を得るため、例えば図７に示すように側縁夫々に所定間隔毎に窪みを形成すると共に、広告表示体２０、被装部材１５の側縁夫々にもこの窪みに対応する突部を形成し、両者を嵌め合わせることで組立時の一体化を一層向上させるようにすることもできる。
【００１６】
また吸盤部材１１は、底板部２の左右側縁に適当間隔で配置されており、特に図６に示すようにその配置部位において、底板部２自体を下方に若干膨出させて、例えば平面からみて円形状に膨出させた配置部１０を形成しておき、吸盤部材１１自体に連結した取付ボルト１２をその膨出部分である配置部９の底壁の下方から貫挿させ、配置部１０の底壁の内方でナット１３等によってネジ止め固定したものである。また、吸盤部材１１数に対応し、その配置位置で部分的に底板部２自体を膨出させることで形成した配置部１０によって、底板部２自体の堅牢性を一層向上させることをも可能にしている。なお、この吸盤部材１１配置用の配置部１０は底板部２の長さ方向に配置された位置で、湾曲している自動車Ｃの天井壁の湾曲高さ面に対応するように深さを異ならしめてあり、底板部２の中央側位置では天井壁外側面の高い中央部分に対応するように浅く、端部側位置では天井壁外側面の低い前後部分に対応するように深くすることで形成してある（図５、図６参照）。
【００１７】
このように構成されるベース盤１には、内部に配装してある照明灯６によって照明表示される広告表示体２０が、この広告表示体２０自体の底縁部周囲がベース盤１の周囲である底板部２の取付縁９の外側から被さるようにすることで取り付けられている。この広告表示体２０自体は、底部が開口された基本的には平面からみて自動車Ｃの前後に沿って長い長方形状を呈する中空のほぼ裁頭角錐形状に更にはやや丸味を帯びて形成され、内部からの照明灯６による照明で全体が光るように例えば乳白色のいわゆる半透明状になるように透視性ある適宜肉厚の合成樹脂材によって形成されている。もとより、この広告表示体２０の外表面には、種々な広告が表示されているのは勿論であり、またその色彩においても広告宣伝に適応するように種々なものが採用されているのである。そして、その大きさは、例えば前後長さで約１４００ｍｍ、左右幅員で約４５０ｍｍ、高さで約４２０ｍｍ程度のものとして形成されるも、長さ、幅員、高さ夫々がこれらに限定されるものではないことは勿論である。
【００１８】
なお、この広告表示体２０の前後部には、営業車の場合の所属の営業法人等の社名等を表示する社名表示部２１を横長状に、また正面から見て山形状を呈するよう膨出させることで形成してある。この社名表示部２１自体は、広告表示体２０の本体部分と別体に構成して、本体部分の前後に配置固定するようにすることもできる。
【００１９】
また、この広告表示体２０の底縁部周囲は、ベース盤１における底板部２の周縁にその外側から嵌め合い、被さるようにしてあり、そのために底板部２の取付縁９に嵌め合うように断面でほぼＬ字状を呈する嵌合取付縁２２を形成してある。また、この嵌合取付縁２２は自動車Ｃの天井壁の湾曲高さ面に沿うように、嵌合取付縁２２自体の側縁の中央側部位では高さが低く、端部側部位では高さが高くなるように、側縁自体は側面からみて僅かに湾曲しているものである。
【００２０】
一方、広告表示体２０の底縁部周囲には、ベース盤１下方を隠蔽化粧し、内部への塵埃、風雨等の侵入を防止するよう自動車Ｃの天井壁外側面に密着するスカート状の被装部材１５を取付けてある。この被装部材１５は広告表示体２０の底縁部あるいはベース盤１の周囲を覆っており、図３、図４、図６に示すように広告表示体２０の底部縁の外側でネジ止めされることで固定連結されるようにしてある。また、この被装部材１５自体は所定肉厚のゴム素材によって形成されており、湾曲している自動車Ｃの天井壁の湾曲面に、外方に拡がり状にでも折曲されることでほぼ密着して装着されるように配慮してある。
【００２１】
なお、広告表示体２０の嵌合取付縁２２の内側に、嵌合取付縁２２自体の内側面周囲に剛性の例えばアクリル樹脂材製の補強帯片を当接固着することで、広告表示体２０を補強することもできる（図示せず）。この補強帯片自体はベース盤１と広告表示体２０との組立時に、ベース盤１の底板部２の取付縁９周囲を巻回するように嵌合取付縁２２と取付縁９との間に介装されればよく、場合によっては取付縁９周囲に当接固着されるものとしてもよい。
【００２２】
ここでベース盤１に対する広告表示体２０の固定連結構造を具体的に説明するに、図３乃至図６に示すように底板部２の取付縁９に広告表示体２０の嵌合取付縁２２を被せるようにして嵌め合わせるもので、このとき、広告表示体２０の嵌合取付縁２２の外側に嵌合取付縁２２の外周面を巻回囲繞するように被装部材１５を配装しておき、また被装部材１５の上方から嵌合取付縁２２及び被装部材１５の上縁を覆うようにした平面で長方形枠状を呈する断面でほぼＬ字状の外被フレーム２７を嵌め合わせるのである。次いで、外被フレーム２７、被装部材１５、嵌合取付縁２２、取付縁９に外被フレーム２７の外方から順次に貫挿した固着ボルト２８を取付縁９の内方からの固着ナット２９にてネジ止め締結するのである。
【００２３】
なお、前記補強帯片は嵌合取付縁２２の内側面に、あるいは取付縁９の外側面に予め接着、一体化させておくこともでき、また固着ナット２９は取付縁９における固着ボルト２８が貫挿する貫挿取付孔内に挿入されるような先細状部分を有するポップナット構造のものとすることも可能である（図６参照）。なお固着ボルト２８、固着ナット２９による固定連結箇所は、広告表示体２０の周縁で適当間隔毎になされるもので、ベース盤１に対して広告表示体２０がしっかりと固定連結されるものであればよいのである。
【００２４】
次にこれの使用の一例を説明するに、外表面に所定の広告内容が表示されている広告表示体２０をベース盤１に固定連結しておき、自動車Ｃには、その天井壁外表面に吸盤部材１１によって設置するのであり、吸盤部材１１には接着剤を塗布しておいて天井壁外表面には吸盤部材１１の吸着力、接着力によって強固に固定するのである。このときの広告表示体２０の方向は、通常は図１に示すように自動車Ｃの前後方向に沿うように長くして設定するも、必要があれば自動車Ｃの左右方向に沿って設定して配置することも可能である。
【００２５】
【発明の効果】
本発明は以上のように構成されているために、タクシー等の営業車（Ｃ）の車体外に設置する広告表示として大型化するのに好適であり、また大型化することに伴う脆弱性を回避して堅牢で丈夫な構造のものとすることができ、更には車体外に設置されることでも風雨時による雨水等の浸入がなく、保守、点検も容易である。
【００２６】
すなわちこれは本発明において、自動車Ｃの天井壁外側面に固着したベース盤１に、外表面に所定の広告等が表示され、内部照明の中空の広告表示体２０を固定し、その固定構造として、ベース盤１を形成する底板部２の周縁に形成した取付縁９に、広告表示体２０の底縁部周囲に形成した嵌合取付縁２２を被せるように嵌め合わせ、ネジ止めしたからであり、これによって、広告表示体２０内部への雨水等の浸入防止、内部点検の容易性等を図り、広告表示体２０の大型化への対処の可能性を大きくできたものである。
【００２７】
またベース盤１は、前後に長く配置した照明灯取付部３Ａ，３Ｂに対してほぼ直交させてこれの左右部に配置した補強部８を一体的に膨出形成した所定肉厚の盤状の底板部２を備えているから、底板部２自体を堅牢に補強でき、宣伝広告効果の増大が期待できる大型化した広告表示体２０を支持するようにベース盤１自体を大型化しても、その大型化したベース盤１自体をも補強でき、広告表示体２０等の広告宣伝媒体の大型化に十分に対処可能なものである。
【００２８】
ベース盤１に配置の吸盤部材１１は、底板部２に円形状に膨出形成した配置部１０に、吸盤部材１１自体の取付ボルト１２を配置部１０の内方でネジ止め固定して配置してあるから、この配置部１０自体が底板部２を補強していることと相俟ち、自動車Ｃの天井壁外側面に固着したとき、自動車Ｃの走行等によって生じる風圧その他への対抗力を増大させることができ、被破壊限度を大きくさせる利点も得られるのである。しかも、この吸盤部材１１によって、自動車Ｃの天井壁外側面に接着剤にて接着されるようにしてあるから、自動車Ｃに対する設置固定性は一層確実なものとなっているのである。
【００２９】
更にはベース盤１と広告表示体２０との固定は、ベース盤１を形成する底板部２周囲の取付縁９に広告表示体２０周囲の嵌合取付縁２２を外側から被せるように嵌め合わせると共に、嵌合取付縁２２の外周面を巻回囲繞したゴム素材製の被装部材１５を配装し、また被装部材１５の上方から嵌合取付縁２２及び被装部材１５の上縁を覆う枠状の外被フレーム２７を嵌め合わせ、これらが重ね合わせた外被フレーム２７の外方から貫挿した固着ボルト２８を取付縁９の内方からの固着ナット２９にてネジ止め締結するから、ベース盤１周囲、広告表示体２０周囲夫々が極めて強固に補強されたものとなり、外部からの衝撃、振動に対しても強化されたものとなっていて、容易には破壊されず、また外部からの塵埃、雨水等の浸入等を効率的に防止するのである。
【００３０】
しかも固着ボルト２８、固着ナット２９夫々の解放でベース盤１から広告表示体２０を簡単に取り外せるから、広告表示体２０内部に配装の照明灯６その他を点検し、また交換も円滑に行える等のメンテナンスも容易である。そればかりでなく、ゴム素材製の被装部材１５によって、自動車Ｃの天井壁外側面に当接するから自動車Ｃを損傷させることも少ないのである。
【図面の簡単な説明】
【図１】本発明の実施の形態を示す使用状態の斜視図である。
【図２】同じく平断面図である。
【図３】同じく図２におけるＡ−Ａ線断面図である。
【図４】同じく図２におけるＢ−Ｂ線縦断面図である。
【図５】同じくベース盤に広告表示体を被せた状態の縦断面図である。
【図６】同じく要部拡大断面図である。
【図７】同じくベース盤の平面図である。
【図８】同じく広告表示体の側面図である。
【符号の説明】
Ｃ…自動車
１…ベース盤                        ２…底板部
３Ａ，３Ｂ…照明灯取付部            ４…支持突部
５…ソケット                        ６…照明灯
７…照明灯補助部品                  ８…補強部
９…取付縁                          １０…配置部
１１…吸盤部材                      １２…取付ボルト
１３…ナット
１５…被装部材
２０…広告表示体                    ２１…社名表示部
２２…嵌合取付縁                    ２７…外被フレーム
２８…固着ボルト                    ２９…固着ナット
【図１】
2004184610.tif 000003
【図２】
2004184610.tif 000004
【図３】
2004184610.tif 000005
【図４】
2004184610.tif 000006
【図５】
2004184610.tif 000007
【図６】
2004184610.tif 000008
【図７】
2004184610.tif 000009
【図８】
2004184610.tif 000010